(57)【要約】【課題】手洗いボウルを収納するキャビネットをトイレの側壁に沿って設置し、狭いトイレ空間を有効に利用でき、小物類を収納することも可能なトイレの手洗い装置を提供する。【解決手段】トイレルーム内に設置されたキャビネット１に出没自在に設けられる手洗いボウル２であって、該手洗いボウル２は上記キャビネット１内に収納された状態で、上記手洗いボウル２を形成する前面部２１がキャビネット１の正面の一部を構成するとともに、上記前面部２１は、手洗いボウル２の使用時に、上記前面部２１を手前側に回動して手洗いボウル２が現れるようにキャビネット１の正面板１１１に枢設されたトイレの手洗い装置。好ましくは、キャビネット１の下部が小物収納部とされる。【選択図】図３
2008075406.tif 000002
【特許請求の範囲】
【請求項１】
トイレルーム内に設置されたキャビネットに出没自在に設けられる手洗いボウルであって、該手洗いボウルは上記キャビネット内に収納された状態で、上記手洗いボウルを形成する前面部がキャビネットの正面の一部を構成するとともに、上記前面部は、手洗いボウルの使用時に、上記前面部を手前側に回動して手洗いボウルが現れるようにキャビネットの正面板に枢設されたトイレの手洗い装置。
【請求項２】
上記手洗いボウルを収納するキャビネットの下部が小物収納部とされた請求項１に記載のトイレの手洗い装置。
【請求項３】
上記手洗いボウルに給水するカランはフレキシブルな給水管に接続され、上記手洗いボウルの排水口はフレキシブルな排水管に接続された請求項１に記載のトイレの手洗い装置。
【請求項４】
上記キャビネットはトイレルームの側壁にビルトインされた請求項１に記載のトイレの手洗い装置。
【発明の詳細な説明】
【技術分野】
【０００１】
本発明は、トイレ内に設けられる手洗い装置に関する。さらに詳しくは、トイレ内にキャビネットを設け、手洗いのための給水用カランおよび排水口を備えたトイレの手洗い装置の構造に関する。
【背景技術】
【０００２】
通常、トイレルームのスペースは限られていることから、小さなスペースに便器、手洗いボウル、トイレットペーパ、トイレ洗剤などの小物類を収納する収納部等を機能的に、空間効率よく配置することが求められる。そこで、下記特許文献１には、トイレルーム内のスペースを有効に活用でき、手洗いボウルの使い勝手が良好で、配管施工も簡単な水洗便器装置が提案されている。
【０００３】
すなわち、下記特許文献１には、便器側方のトイレルーム壁面に薄型で、かつ、同便器の前後方向に沿って長いロータンクを沿設し、該ロータンクの手前側上部に手洗いボウルを設けてなる水洗便器装置が提案されている。この水洗便器装置においては、手洗いボウルに付設された給水カランから吐出され、手洗いに使用された水は、手洗いボウルからロータンクへと流入してロータンク内に貯水され、便器使用後の汚物の洗浄に再利用される。
【特許文献１】特開２０００−２７１０２４号公報（第１〜４頁、第１図、第２図）
【発明の開示】
【発明が解決しようとする課題】
【０００４】
しかしながら、上記特許文献１に記載の技術は、トイレルームの奥行き寸法が小さい場合に適用されるものであり、使用者は着座したまま、上記特許文献１の図１に示される操作具を操作してロータンクから便器へ洗浄水を流し、その後、手洗いできる旨、記載されている。しかしながら、使用者の側方にロータンクがあるため、窮屈であり、また、手洗いボウルの使い勝手が必ずしもよくないという問題がある。
【０００５】
本発明はこのような問題を解決して、手洗いボウルを収納するキャビネットをトイレの側壁に沿って設置し、狭いトイレ空間を有効に利用することができるとともに、トイレットペーパ、トイレ洗剤などの小物類を収納することも可能なトイレの手洗い装置を提供することを、その課題とする。
【課題を解決するための手段】
【０００６】
上記課題を解決するために、本発明においては、つぎのような技術的手段を講じている。すなわち、請求項１に記載の発明によれば、トイレルーム内に設置されたキャビネットに出没自在に設けられる手洗いボウルであって、該手洗いボウルは上記キャビネット内に収納された状態で、上記手洗いボウルを形成する前面部がキャビネットの正面の一部を構成するとともに、上記前面部は、手洗いボウルの使用時に、上記前面部を手前側に回動して手洗いボウルが現れるようにキャビネットの正面板に枢設されたトイレの手洗い装置が提供される。上記キャビネットは、通常、洋式便器の側方のトイレルームの側壁に沿って設けられる。
【０００７】
請求項２に記載のトイレの手洗い装置は、請求項１に記載の発明に加えて、上記手洗いボウルを収納するキャビネットの下部をトイレ用の小物収納部とすることが好ましい。
【０００８】
請求項３に記載のトイレの手洗い装置は、請求項１に記載の発明に加えて、上記手洗いボウルに給水するカランはフレキシブルな給水管に接続され、上記手洗いボウルの排水口はフレキシブルな排水管に接続される。
【０００９】
請求項４に記載のトイレの手洗い装置は、請求項１に記載の発明に加えて、上記キャビネットはトイレルームの側壁にビルトインされることが好ましい。
【発明の効果】
【００１０】
請求項１に記載の発明にかかるトイレの手洗い装置は上記のとおりであり、手洗いボウルを形成する前面部がトイレルームに設置されたキャビネットの正面の一部を構成するとともに、上記前面部は、手洗いボウルの使用時に、上記前面部を手前側に回動して手洗いボウルが現れるようにキャビネットの正面板に枢設されているため、使用者は用を足した後、便座に座ったまま、上記前面部を手前側下方に引いて、手洗いボウルを回動させ、カランから水を出して容易に手を洗うことができる。また、手洗いボウルを使用した後は、元に戻してキャビネット内に収納できるため、トイレルームの狭い空間を有効に使うことができる。
【００１１】
請求項２に記載のトイレの手洗い装置は上記のとおりであり、請求項１のトイレの手洗い装置の有する効果に加え、上記手洗いボウルを収納するキャビネットの下部が小物収納部とされているため、トイレットペーパ、トイレ洗剤などの小物類を目に触れることなく、見栄えよく収納することができる。
【００１２】
請求項３に記載のトイレの手洗い装置は上記のとおりであり、請求項１のトイレの手洗い装置の有する効果に加え、上記手洗いボウルに給水するカランはフレキシブルな給水管に接続され、上記手洗いボウルの排水口はフレキシブルな排水管に接続されているため、キャビネットに収納自在に枢設された手洗いボウルの回動に給水管と排水管とが、適切に追従して給水、排水することができる。
【００１３】
請求項４に記載のトイレの手洗い装置は上記のとおりであり、請求項１のトイレの手洗い装置の有する効果に加え、上記キャビネットをトイレルームの側壁にビルトインして用いることにより、キャビネットの正面板と側壁の壁面とが面一となり一体化して、トイレルームの狭い空間をより効率的に使用することができる
【発明を実施するための最良の形態】
【００１４】
以下、本発明の実施形態について図面を参照して詳細に説明する。図１は、トイレルームの中に設けられた本発明の第１実施形態にかかるトイレの手洗い装置Ａを示す平面図である。図２は、上記トイレの手洗い装置Ａを示す縦断面図であり、図３は手が洗える状態とした上記手洗い装置Ａを示す縦断面図である。図１に示されているように、上記トイレルームには、便器本体の後部に水洗タンクを備えていない、水道管直結式、いわゆるタンクレスタイプの洋式便器Ｙが設置されている。
【００１５】
図１は、上記トイレの手洗い装置Ａがトイレルームの側壁Ｗに沿って設けられたキャビネット１に収納された状態を示す。また、図２、図３に示すように、キャビネット１の上部はボウル収納部１１、下部は小物収納部１２とされるとともに、手洗いボウル２は、手洗いボウル収納部１１に出没自在に収納され、図２は、収納した状態、図３は手洗いボウル２が現れた状態を示す。さらに、ボウル収納部１１には把手８が、また、トイレットペーパ、トイレ洗剤などの小物類を収納する小物収納部１２には、小物類を出し入れする際に扉を開閉するための取手９が取り付けられている。
【００１６】
図示のように、上記手洗いボウル２は、前面部２１と側面部２２と背面部２３と底面部２４とから形成され、底面部２４には排水口３が設けられている。また、上記前面部２１は、手洗いボウル２の収納時において、キャビネット１の手洗いボウル収納部１１の正面を構成する。さらに、背面部２３の上部には、給水用のカラン４が設けられ、フレキシブルな給水管５から給水された手洗い用の水は、手動、または人体検知サンサの作動により自動的にカラン４から流出する。
【００１７】
底面部２４に設けられた排水口３は、フレキシブルな排水管６に接続され、図外排水本管に排出される。一方、上記前面部２１は、キャビネット１のボウル収納部１１の正面板１１１にヒンジ７によって回動自在に枢支され、手洗いボウル２の前面部２１の裏面２１１は、上記したように、正面板１１１と共にボウル収納部１１の正面を構成する。
【００１８】
通常、手洗いボウル２は、図１、図２に示すように、ボウル収納部１１に収納された状態であり、上記したように前面部２１の裏面２１１と正面板１１１とは面一となってボウル収納部１１の正面を構成し、単なるキャビネットとして、壁面Ｗに沿って違和感なく設置される。一方、使用者が用を足した後、前面部２１の裏面２１１に取り付けられた前記把手８を手前側下方向に引くことにより、手洗いボウル２は手前側に回動して現れ、図３に示す状態となる。
【００１９】
上記のように構成することにより、使用者は用を足した後、例えば、人体検知センサと連動するカラン４の下に手を持っていけば自動的に水が流出し、座ったまま、容易に手を洗うことができる。図４は、上記のようにして、使用者が便座に座ったまま手を洗う状態を模式的に示す説明図である。使用者は、手を洗った後、把手８を上方に引き上げ、手洗いボウル２をボウル収納部１１に収納することにより、図１、図２に示す状態となり、トイレルームの狭い空間を効率的に使用することができる。
【００２０】
つぎに、本発明の第２実施形態にかかるトイレの手洗い装置Ｂについて図面を参照して説明する。第２実施形態においては、第１実施形態にかかるトイレの手洗い装置Ａをトイレルームの側壁Ｗにビルトインして用いる。図５、図６に示すように、第２実施形態においては、キャビネット１に背板１３を設けるとともに、手洗いボウル２の収納状態においては、キャビネット１の正面と側壁Ｗの壁面とは面一となり、壁面と一体化されている。このようにすることにより、トイレの手洗い装置Ｂを使用しない状態では、壁面から、把手８と取手９のみが出た状態となり、トイレルームの狭い空間をより効率的に使用することができる。
【００２１】
なお、上記前面部２１の裏面２１１を鏡や化粧板等で形成することにより意匠性を持たせてもよい。カラン４から洗浄水を流出させる代わりにミストを噴出させてもよい。また、人体検知センサを用いて使用者が便座に着座すると手洗いボウル２が自動的に現れ、離座すると、手洗いボウル２が自動的にボウル収納部１１に収納される形態としてもよい。このように、本発明は種々設計変更可能であり、特許請求の範囲を逸脱しない限り、いずれも本発明の技術的範囲に属する。
【図面の簡単な説明】
【００２２】
【図１】第１実施形態にかかるトイレの手洗い装置を示す平面図である。
【図２】第１実施形態にかかるトイレの手洗い装置を示す縦断面図である。
【図３】手を洗う状態における第１実施形態にかかる手洗い装置を示す縦断面図である。
【図４】第１実施形態にかかるトイレの手洗い装置で使用者が便座に座ったまま手を洗う状態を模式的に示す説明図である。
【図５】第２実施形態にかかるトイレの手洗い装置を示す縦断面図である。
【図６】手を洗う状態における第２実施形態にかかる手洗い装置を示す縦断面図である。
【符号の説明】
【００２３】
Ａ          第１実施形態にかかるトイレの手洗い装置
Ｂ          第２実施形態にかかるトイレの手洗い装置
Ｗ          側壁
Ｙ          洋式便器
１          キャビネット
１１        ボウル収納部
１１１      正面板
１２        小物収納部
１３        背板
２          手洗いボウル
２１        前面部
２１１      裏面
２２        側面部
２３        背面部
２４        底面部
３          排水口
４          カラン
５          給水管
６          排水管
７          ヒンジ
８          把手
９          取手
【図１】
2008075406.tif 000003
【図２】
2008075406.tif 000004
【図３】
2008075406.tif 000005
【図４】
2008075406.tif 000006
【図５】
2008075406.tif 000007
【図６】
2008075406.tif 000008